(57)【要約】【課題】  安定した表示状態が得られる電気泳動表示装置の駆動方法を提供する。【解決手段】  間隙を空けて配置された第１及び第２基板１，２と、間隙を一定に保持し、かつ間隙を仕切って画素を画定する隔壁６と、帯電泳動粒子４を含む分散液３と、第１基板１に沿って画素に配置された第１電極５と、隔壁６の内部又は側面の少なくとも一部に配置された第２電極７とを備え、第１電極５と第２電極７との間に電圧を印加して帯電泳動粒子４を第１電極５と第２電極７の間で移動させることによって表示を行う電気泳動表示装置の駆動方法であって、第１電極５と第２電極７との間に書込み電圧を印加後、実質的に０Ｖに変化させた後の帯電泳動粒子４の応答が、帯電泳動粒子４の帯電極性から決まる電圧応答特性と逆であるという駆動を行うことにより、所望の階調表示を得ることができる。【選択図】      図１
2006085097.tif 000002
【特許請求の範囲】
【請求項１】
間隙を空けて配置された第１及び第２基板と、前記間隙を一定に保持し、かつ該間隙を仕切って画素を画定する隔壁と、前記間隙に配置された絶縁性液体及び複数の帯電泳動粒子とからなる分散液と、前記第１基板に沿って画素に配置された第１電極と、前記隔壁の内部又は側面の少なくとも一部に配置された第２電極とを備え、前記第１電極と第２電極との間に電圧を印加して前記帯電泳動粒子を前記第１電極と前記第２電極の間で移動させることによって表示を行う電気泳動表示装置の駆動方法において、
前記第１電極と第２電極間に書込み電圧を印加後、実質的に０Ｖに変化させた後の前記帯電泳動粒子の応答が、該帯電泳動粒子の帯電極性から決まる電圧応答特性と逆であることを特徴とする電気泳動表示装置の駆動方法。
【発明の詳細な説明】
【技術分野】
【０００１】
本発明は、電気泳動表示装置の駆動方法に関する。
【背景技術】
【０００２】
近年、情報機器の発達に伴い、低消費電力且つ薄型の表示装置のニーズが増しており、これらのニーズに合わせた表示装置の研究、開発が盛んに行われている。
【０００３】
特に、ウエアラブルＰＣや電子手帳等の用途から屋外で使用されることが多く、低消費電力かつ省スペースであることが望まれるため、例えば液晶ディスプレイ等の薄型ディスプレイによる表示機能と座標入力処理を一体化し、ディスプレイに表示された内容をペン或いは指で押圧操作することにより直接的に入力できる物が製品化されている。
【０００４】
しかし、多くの液晶はいわゆるメモリ性が無い為、表示期間中は液晶に対して電圧印加を行い続ける必要がある。一方で、メモリ性を有する液晶においては、ウエアラブルＰＣのようにさまざまな環境における使用を想定した場合の、信頼性を確保することが難しく実用化には至っていない。
【０００５】
そこで、メモリ性を有する、薄型軽量ディスプレイ方式の一つとして、電気泳動表示装置がある。この電気泳動表示装置は、所定間隙を開けた状態に配置された一対の基板と、その基板間隙に注入された絶縁性液体と、絶縁性液体に分散された多数の帯電泳動粒子と、絶縁性液体に近接するように配置された一対の電極と、これら電極を覆うように絶縁層とを備えた電気泳動表示素子を備えている（特許文献１参照）。
【０００６】
図７は、このような従来の電気泳動表示素子の構成の一例を示すものであり、（ａ）に示すように分散媒である絶縁性液体１０３に分散された多数の帯電泳動粒子１０４を広い面積に配置した場合と、（ｂ）に示すように帯電泳動粒子１０４を狭い面積に集積させた場合との色の違いを利用して種々の表示を行うようになっている。なお、図中、１０５は画素電極、１０６は共通電極であり、この共通電極１０６は画素を仕切るように配置され、これらの電極１０５，１０６はそれぞれ絶縁膜１０７，１０８で覆われている。
【０００７】
そして、このようなメモリ性を活用した、例えばアクティブマトリックス形式の電気泳動表示装置の駆動方法としては、リセット期間と書込み動作期間を備え、画像を表示する際には、まずリセット期間において泳動粒子を所定の位置に揃えるために、各画素電極にリセット電圧を書込むようにしている。
【０００８】
次に、書込み動作期間において、一定電圧を画像データの指示する階調値に応じた期間だけ、或は一定期間に画像データの指示する階調値に応じた電圧だけ、各画素電極に印加電圧を印加し、この後、各画素電極に共通電極電圧を書込むようにしている。これにより、画素容量に蓄積された電荷を放電し、表示画像を保持するようにしている（特許文献２又は３参照）。
【０００９】
【特許文献１】特許第３４２１４９４号公報
【特許文献２】特開２００２−１１６７３３号公報
【特許文献３】特開２００２−１１６７３４号公報
【発明の開示】
【発明が解決しようとする課題】
【００１０】
ところで、図８の（ａ）は図７の電気泳動表示装置の等価回路を表したものであり、Ｒｅｐ，Ｃｅｐは分散液層の抵抗と容量を、Ｒ１，Ｒ２、Ｃ１，Ｃ２はそれぞれ絶縁層部分の抵抗と容量を表している。一般的には、分散液には帯電粒子とカウンターイオンが含まれるのでＲｅｐは小さく、また絶縁膜の膜厚が薄いことからＲｅｐ＜Ｒ１、Ｒｅｐ＜Ｒ２、Ｃｅｐ＜Ｃ１，Ｃｅｐ＜Ｃ２の関係にある。
【００１１】
ここで、例えば第１電極と第２電極との間に、図８の（ｂ）の波形を印加した場合、時間ｔ１において印加電圧ＶｗがＣｅｐとＣ１，Ｃ２の容量に応じて分圧されるが、この際Ｃｅｐ＜Ｃ１，Ｃｅｐ＜Ｃ２の関係にあるため、ほとんどの電圧は分散液層にかかる。しかし、この後、Ｒｅｐ＜Ｒ１，Ｒｅｐ＜Ｒ２の関係により、絶縁膜や分散液の物性値に依存した時定数にて抵抗分圧し、分散液部分に印加される電圧が減少する。なお、このとき、減少した電圧は絶縁層部分に印加されている。
【００１２】
次に、時間ｔ２で印加電圧を０Ｖにすると、分散液層に印加される電圧が、約−Ｖｗ変化し、この結果、分散液層に印加される電圧はマイナスとなる。ここで、このようにして生じる電圧を残留ＤＣと呼び、この残留ＤＣの量は各層の抵抗、容量及び電圧印加期間に依存する。そして、帯電泳動粒子が泳動して最終的に表示される階調は、駆動開始から残留ＤＣが緩和するまでの分散液に加わる電圧波形によって決定される。
【００１３】
ところが、このような従来の電気泳動表示装置では、分散液には帯電した粒子とイオンが存在し、それらの量は温度等により変動しやすく、また分散液の抵抗Ｒｅｐも変化しやすいことから、分散液に印加される電圧波形や残留ＤＣが変動しやすく、このため所望の階調表示を得ることができず、安定した表示状態が得られないという問題があった。
【課題を解決するための手段】
【００１４】
本発明は、間隙を空けて配置された第１及び第２基板と、前記間隙を一定に保持し、かつ該間隙を仕切って画素を画定する隔壁と、前記間隙に配置された絶縁性液体及び複数の帯電泳動粒子とからなる分散液と、前記第１基板に沿って画素に配置された第１電極と、前記隔壁の内部又は側面の少なくとも一部に配置された第２電極とを備え、前記第１電極と第２電極との間に電圧を印加して前記帯電泳動粒子を前記第１電極と前記第２電極の間で移動させることによって表示を行う電気泳動表示装置の駆動方法において、前記第１電極と第２電極間に書込み電圧を印加後、実質的に０Ｖに変化させた後の前記帯電泳動粒子の応答が、該帯電泳動粒子の帯電極性から決まる電圧応答特性と逆であることを特徴とするものである。
【発明の効果】
【００１５】
本発明によれば、分散液層の抵抗よりも低い抵抗の界面部材が分散液層に対して並列に接続されることになるので、分散液層の抵抗の変動による残留ＤＣの変動が発生せず、安定した表示状態を得ることができる。さらに、残留ＤＣが発生しても、電気泳動粒子の応答が電気泳動粒子の帯電極性から決まる電圧応答特性と逆であるという駆動を行うことにより、所望の階調表示を得ることができる。
【発明を実施するための最良の形態】
【００１６】
以下、本発明を実施するための最良の形態について図面を参照して詳細に説明する。
【００１７】
図１は、本発明の実施の形態に係る電気泳動表示素子の概略構成を示す図であり、図１において、１は第１基板、２は第１基板１に対し間隙を空けて配置された第２基板、Ｇは画素である。ここで、第２基板２は、例えば透明ガラスや透明フィルムなどの光透過性板で構成されている。なお、第１基板１は必ずしも透明である必要はなく、フィルム基板や金属基板等で構成してもよい。
【００１８】
また、第１基板上には第１電極５が形成されている。また、第１基板１と第２基板２との間には、第１基板１と第２基板２との間隙を一定に保持し、かつ間隙を仕切って画素Ｇを画定する隔壁６が設けられており、この隔壁６の表面には第２電極７が形成されている。ここで、第１電極５としては、ＩＴＯ膜だけではなく、Ａｌ膜等の金属膜を用いても良く、第２電極７としても、第１電極と同様、ＩＴＯ膜だけではなく、Ａｌ膜等の金属膜を用いても良い。
【００１９】
なお、隔壁６の厚さ、即ち電極間距離は通常５μｍ〜１ｍｍ程度であり、隔壁６としては一般に使用されているレジスト材料或いは、熱可塑性材料、紫外線硬化材料などを使用できる。
【００２０】
また、第１電極５の表面には絶縁膜９が形成されている。なお、このような絶縁膜９としては、ポリエチレン、ポリカーボネート、ポリイミド、アクリル酸エステル共重合、酸化ケイ素、またはアクリル樹脂、エポキシ樹脂、シリコン樹脂などの材料を使用できる。さらに、これらに酸化チタン、酸化亜鉛、酸化アルミニウムなどの無機酸化物顔料、染料または顔料を混ぜ合わせて着色化、光散乱化させてもよい。ここで、絶縁膜９の体積抵抗率（ρ１）としては、１０１１Ωｃｍ以上が望ましく、本実施の形態では１０１５Ωｃｍとした。
【００２１】
さらに、これら隔壁６と絶縁膜９を覆うように界面部材８が設けられている。なお、このような界面部材８としては、光透過性の材料で、ポリシラン、ポリシロキサン、ポリアセチレンなどの有機膜、もしくはそれの複合体、共重合体、または、カーボン含有膜、インジウム−スズ酸化物（ＩＴＯ）などの無機膜、またはシリコンなどの半導体膜、または導電性のフィラ（充填物）、例えば金属粉、カーボン粒子等をエポキシ樹脂、ポリプロピレン樹脂等に配合して得る導電性樹脂膜を使用できる。
【００２２】
さらに界面部材８としては、これらの膜の積層膜でもよい。ここで、界面部材８の体積抵抗率は１０７Ωｃｍ〜１０１２Ωｃｍ、膜厚は１ｎｍ〜２００ｎｍが望ましく、本実施の形態では界面部材８の体積抵抗率を１０１０Ωｃｍとした。
【００２３】
一方、第１及び第２基板１，２、隔壁６との間に形成される密封空間には、電気泳動分散液３が封入されている。ここで、この電気泳動分散液（以下、分散液という）３は、分散媒と、この分散媒に分散されている帯電した電気泳動粒子４とからなるものである。なお、このような分散媒としては、水、メタノール、エタノール、アセトン、ヘキサン、トルエン、長鎖アルキル基を有するベンゼン類等の芳香族炭化水素等又は、その他の種々の油類等の単独又はこれらの混合物に界面活性剤等を配合したものを用いることができる。
【００２４】
また、電気泳動分散液３に含まれる電気泳動粒子４は、分散媒中で電位差による電気泳動により移動する性質を有する有機あるいは無機の粒子であり、このような電気泳動粒子４としては、例えばアニリンブラック、カーボンブラック等の黒色顔料、二酸化チタン、三酸化アンチモン等の白色顔料、アゾ系顔料、その他着色顔料等の１種又は２種以上を用いることができる。
【００２５】
さらに、これらの顔料には、必要に応じ、電解質、界面活性剤、樹脂、ゴム、油等の粒子からなる荷電制御剤、チタン系カップリング剤、アルミニウム系カップリング剤、シラン系カップリング剤等の分散剤、潤滑剤、安定化剤等を添加することができる。なお、本実施の形態における電気泳動分散液３の体積抵抗率は１０１２Ωｃｍであった。
【００２６】
ところで、本実施の形態において、界面部材８は、分散液３の層（以下、分散液層という）と第１電極５との間に位置する第１界面部材８ａと、分散液層と第２電極７との間に位置する第２界面部材８ｂと、二つの電極の間に位置し、第１界面部材８ａと第２界面部材８ｂとを連結するように形成された第３界面部材８ｃとから構成されている。ここで、この第３界面部材８ｃは、二つの電極の隙間に位置し、これらを分離する絶縁膜９と分散液層との界面に形成されている。
【００２７】
なお、図１においては、界面部材８を一体膜として形成しているが、本発明の本質上これに限定されるものではない。さらに、第１電極５と第２電極７との間には、後述のような駆動電圧を発生する駆動電圧発生装置が接続されている。
【００２８】
ところで、図２は、このような構成の電気泳動表示素子における画素の等価回路であり、図２において、点Ａは第１電極５、点Ｂは第２電極７を、Ｃ１，Ｃ２，Ｃｉ，ＣＬはそれぞれ、第１界面部材８ａ、第２界面部材８ｂ、絶縁膜９、分散液層の容量、Ｒ１，Ｒ２，Rｉ，ＲＬ，Ｒ３はそれぞれ、第１界面部材８ａ、第２界面部材８ｂ、絶縁膜９、分散液層、第３界面部材８ｃの抵抗を表している。
【００２９】
ここで、本実施の形態においては、分散液層の体積抵抗率をρＬＣ、第１界面部材８ａの体積抵抗率をρ１、第２界面部材８ｂの体積抵抗率をρ２、第１電極５と第１界面部材８ａの間に形成された絶縁膜９の体積抵抗率をρｉ、第３界面部材８ｃの体積抵抗率をρ３とすると、この第３界面部材８ｃの体積抵抗率ρ３が分散液層の体積抵抗率（ρＬＣ）よりも小さく（ρＬＣ＞ρ３）、且つ、絶縁膜９の体積抵抗率（ρｉ）が第１界面部材８ａの体積抵抗率（ρ１）よりも大きく（ρｉ＞ρ１）なるように構成している。
【００３０】
そして、このように構成した場合、図２に示すように、分散液層の抵抗ＲＬよりも低い抵抗Ｒ３の第３界面部材８ｃが分散液層に対して並列に接続されることになり、この結果、分散液層の抵抗の変動による残留ＤＣの変動がなくなる。
【００３１】
ところで、このように構成した場合、残留ＤＣが形成される時定数も短くなるので、駆動時に発生する残留ＤＣの量が大きくなり、階調表示が困難となる。そこで、本実施の形態においては、リセット期間よりも残留ＤＣの形成時定数を短く設定している。
【００３２】
そして、このように残留ＤＣの形成時定数を設定することにより、リセット期間中にリセット電圧と同等量の残留ＤＣを形成でき、その後の書込み電圧を印加する時には、形成された大きな残留ＤＣが分散液層に印加されるようになるので、非常に小さい書込み電圧でも泳動粒子をリセット状態と逆の表示状態にすることができる。
【００３３】
一方、書込み電圧が大きい場合には、書込み期間中にも大きな残留ＤＣが形成され、書込み終了後、印加電圧を０Ｖにした時にリセット電圧と同極性の残留ＤＣが発生するので、中間状態の粒子分布が形成される。
【００３４】
このように、書込み終了後に発生する残留ＤＣ量は書込み電圧値で調整できるので、残留ＤＣを利用した階調書込みが可能となる。つまり、本発明の構成により非常に大きな残留ＤＣが発生しても、泳動粒子の応答が、粒子の帯電極性から決まる電圧応答特性と逆であるという駆動を行うことで、所望の階調表示を得ることができる。
【００３５】
次に、このように構成される電気泳動表示素子の表示動作について説明する。なお、以下の説明では、電気泳動粒子は正に帯電している場合を例に挙げるが、負に帯電している場合でも同様に説明できる。
【００３６】
図３は駆動波形である。なお、第２電極の電位は０Ｖとする。また、図３の（ａ）、（ｂ）、（ｃ）は、それぞれ、第１電極印加電圧、分散液層にかかる電圧、光学応答を表す。さらに、リセット期間よりも残留ＤＣの形成時定数を短く設定している。
【００３７】
時間ｔ１でリセット電圧Ｖｒを印加し、電気泳動粒子４を黒表示状態にリセットする。その後、時間ｔ２にかけて分散液層に電圧がかからなくなり、この結果、分散液層には残留ＤＣが約Ｖｒ形成される。時間ｔ２では、書込み電圧Ｖｗ１を印加するが、このとき書込み電圧Ｖｗ１にはリセット期間中に形成された残留ＤＣが上乗せされるので、分散液層には大きな電圧Ｖｒ＋Ｖｗ１が印加され、光学状態は白状態へ変化する。
【００３８】
このように、リセット期間中にリセット電圧と同等量の残留ＤＣを形成することにより、書込み電圧を印加すると、形成された残留ＤＣが分散液層に印加されるようになるので、書込み電圧が非常に小さい場合でも電気泳動粒子をリセット状態と逆の表示状態にすることができる。
【００３９】
その後、時間ｔ３にかけて分散液層にかかる電圧が減少してＶｗ１となったところで、印加電圧を０Ｖにすると電位変動−Ｖｗ１を受けて、分散液層にかかる電圧も０Ｖとなり白状態を維持する。
【００４０】
次に、時間ｔ４でリセット電圧Ｖｒを印加してリセットし、この後、時間ｔ５からｔ６に示すように大きな書込み電圧Ｖｗ２を印加すると、書込み期間中にも大きな残留ＤＣが形成される。このとき、前述の通り表示状態は白となるが、書込み終了後、印加電圧を０Ｖにした時、リセット電圧と同極性の残留ＤＣが発生するので、白よりも暗い光学状態の粒子分布が形成される。
【００４１】
さらに、時間ｔ８からｔ９に示すように書込み電圧Ｖｗ３をより大きくした場合には、非常に大きな残留ＤＣが発生し、書込み終了後の光学状態が黒まで達する。このように、書込み終了後に発生する残留ＤＣ量は書込み電圧値で調整できるので、残留ＤＣを利用した階調書込みが可能である。
【００４２】
このように、第１界面部材８ａと第２界面部材８ｂとを第３界面部材８ｃにより連結し、この第３界面部材８ｃの体積抵抗率を分散液層の体積抵抗率よりも小さくし、且つ、絶縁膜９の体積抵抗率を第１界面部材８ａの体積抵抗率よりも大きくすることにより、分散液層の抵抗よりも低い抵抗の第３界面部材８ｃが分散液層に対して並列に接続されることになるので、分散液層の抵抗の変動による残留ＤＣの変動をなくすことができ、安定した表示状態を得ることができる。
【００４３】
また、このように構成することにより、非常に大きな残留ＤＣが発生しても、電気泳動粒子４の応答が、電気泳動粒子４の帯電極性から決まる電圧応答特性と逆であるという駆動を行うことで、所望の階調表示を得ることができる。
【００４４】
図４は、本実施の形態に係る電気泳動表示素子を電気泳動表示パネルとして用いた電気泳動表示装置のシステム構成を示すブロック図であり、同図において４１はパネルコントローラ、４３はソースドライバ、４２はゲートドライバ、４４は電気泳動表示パネルである。
【００４５】
ここで、パネルコントローラ４１は、入力される画像データに基づいて、フィールド同期信号、水平同期信号、データ取り込みクロックなどの制御信号、および表示データを生成し、ソースドライバ４３、ゲートドライバ４２に転送するものであり、ソースドライバ４３、ゲートドライバ４２は、パネルコントローラ４１より受信した制御信号、表示データに従って電気泳動表示パネル４４に駆動電圧を出力するものである。そして、電気泳動表示パネル４４は、この駆動電圧に応じ表示を行うようになっている。
【００４６】
なお、この電気泳動表示パネル４４は、第１基板上に一定間隔で配線された不図示の複数のデータライン群と、複数のデータライン群に立体交差して第１基板上に一定間隔で配置された不図示の走査ライン群及び補助容量線群と、複数のデータライン及び走査ラインとの各交差部に対応して一定間隔で配置された複数の画素Ｇが設けられている。
【００４７】
図５は、電気泳動表示パネル４４の一画素における等価回路を示す図であり、画素４５の第１電極５は、アクティブマトリクス駆動表示用のスイッチング素子である薄膜トランジスタ（Ｔｈｉｎ  Ｆｉｌｍ  Ｔｒａｎｓｉｓｔｏｒ：以下ＴＦＴという）４６のドレイン電極に接続され、第２電極７は電圧Ｖｃｏｍである共通電極４９に接続されている。なお、全画素の第２電極は共通電極４９に接続される。また、走査ラインであるゲートライン４７はＴＦＴ４６のゲート電極、データラインであるソースライン４８はＴＦＴ４６のソース電極に接続される。なお、ＴＦＴはｎ型トランジスタとした。
【００４８】
ドレイン電極には補助容量５０が補助容量線５１との間に形成されており、全画素の補助容量は、電圧Ｖｃｓの補助容量線５１に接続される。
【００４９】
以下、具体的な駆動方法について説明する。
【００５０】
図６に電気泳動表示パネル４４のある一画素に対する駆動波形を示す。ここで、図６の（ａ）はゲートドライバ４２から入力されるゲート信号（走査信号パルス）、図６の（ｂ）はソースドライバ４３から第１電極５に入力される情報信号パルス、図６の（ｃ）は第１電極電位波形と分散液層にかかる電圧、図６の（ｄ）は光学応答を示している。
【００５１】
ここで、駆動期間は、リセット期間、書込み期間の２つの期間で構成されている。なお、以下、リセット期間が２フィールド、書込み期間が１フィールドで構成される場合について説明するが、それ以外のフィールド数で構成される場合でも同様の効果があり、問題はない。
【００５２】
まず、リセット期間の第１フィールドにおいて、ゲートパルスに同期して、ソースドライバ４３よりリセットパルスＶｒ１が印加され、第１電極に電圧Ｖｒ１が書込まれる。その後のフィールド期間中は電圧が保持される。
【００５３】
ところが、ソースドライバ４３は情報信号を与えた後０Ｖとなるため、画素ＴＦＴのソース・ドレイン間に電位差が生じ、画素ＴＦＴのソース・ドレイン間にオフ電流が流れ、第１電極電位が低下する。ここで、この電位降下量は、補助容量、ＴＦＴオフ抵抗と電圧保持期間に依存し、大きな補助容量を形成しておくことで電位降下量を抑えることが出来るが、付加可能な補助容量には限界があるので、通常、完全に０にすることはできない。
【００５４】
しかし、本構成では、絶縁層の抵抗が２つの界面部材間を接続する第３界面部材の抵抗よりも十分大きいので、分散液層にかかる電圧は抵抗分圧により減少し、残留ＤＣが蓄積される。このため、光学応答は黒状態へと変化する。
【００５５】
次に、リセット期間の第２フィールドでは、再度、第１電極に電圧Ｖｒ１が書込まれる。そして、これに伴い第１フィールドで生じた電位降下量に相当する電位変動が起こるので、分散液層にかかる電圧も変動する。その後は第１フィールドと同様に第１電極電位は降下し、分散液層にかかる電圧はほぼ０Ｖとなり、残留ＤＣがＶｒほど形成される。
【００５６】
書込み期間においては、第１電極に電圧Ｖｗ１が書込まれる。このとき、リセット期間中に形成された残留ＤＣが上乗せされるので、分散液層には大きな電圧Ｖｒ＋Ｖｗ１が印加され、光学応答は白状態へ変化する。その後、第１電極電位は画素ＴＦＴのソース・ドレイン間のリーク電流により低下し、分散液層にかかる電圧は絶縁膜と界面部材間の抵抗分圧により減少する。
【００５７】
第１電極電位と分散液層にかかる電圧とがほぼ等しくなった時に、第１電極に印加電圧０Ｖを書き込むと、電位変動を受けて分散液層にかかる電圧も０Ｖとなり白状態を維持する。ここで、書込み電圧を大きくすると、書込み期間中に大きな残留ＤＣが形成され、印加電圧を０Ｖにした時にリセット電圧と同極性の残留ＤＣが発生するので、白よりも暗い光学状態の粒子分布が形成される。
【００５８】
従って、書込み電圧を調整することで残留ＤＣを利用した階調書込みが可能となる。このような構成であっても、分散液層の抵抗よりも低い抵抗の層が分散液層に対して並列に接続されるので、分散液層の抵抗の変動による残留ＤＣの変動はなく、安定した表示状態が得られる。
【図面の簡単な説明】
【００５９】
【図１】本発明の実施の形態に係る電気泳動表示素子の概略構成を示す図。
【図２】上記電気泳動表示素子における画素の等価回路を示す図。
【図３】上記電気泳動表示素子の駆動波形を示す図。
【図４】上記電気泳動表示素子を表示パネルとして用いた電気泳動表示装置のシステム構成を示すブロック図。
【図５】上記電気泳動表示パネルの一画素における等価回路を示す図。
【図６】上記電気泳動表示パネルの一画素の駆動波形を示す図。
【図７】従来の電気泳動表示素子の一画素の断面図。
【図８】上記従来の電気泳動表示素子の等価回路と駆動波形を示す図。
【符号の説明】
【００６０】
１        第１基板
２        第２基板
３        電気泳動分散液
４        電気泳動粒子
５        第１電極
６        隔壁
７        第２電極
８        界面部材
８ａ      第１界面部材
８ｂ      第２界面部材
８ｃ      第３界面部材
９        絶縁膜
Ｇ        画素
ρＬＣ      分散液層の体積抵抗率
ρ３        第３界面部材の体積抵抗率
ρｉ      絶縁膜の体積抵抗率
ρ１        第１界面部材の体積抵抗率
【図１】
2006085097.tif 000003
【図２】
2006085097.tif 000004
【図３】
2006085097.tif 000005
【図４】
2006085097.tif 000006
【図５】
2006085097.tif 000007
【図６】
2006085097.tif 000008
【図７】
2006085097.tif 000009
【図８】
2006085097.tif 000010